【手続補正書】
【提出日】平成23年1月14日(2011.1.14)
【手続補正１】
【補正対象書類名】特許請求の範囲
【補正対象項目名】全文
【補正方法】変更
【補正の内容】
【特許請求の範囲】
【請求項１】
ヒューマンマシンインターフェース（ＨＭＩ）システム用のオペレータインターフェース装置であって、
オペレータワークステーションに取り付けるために構成された筐体と、
前記筐体上に配置された少なくとも１つの信号装置と、
前記オペレータワークステーションのシリアル装置に接続するために構成された、前記筐体上に配置されたシリアル通信ポートと、
ネットワークに接続するために構成された、前記筐体上に配置された少なくとも１つのイーサネットポートであって、前記ネットワークはそれに接続されたＨＭＩソフトウェアを実行するサーバを有する、少なくとも１つのイーサネットポートと、
その上に配置された組込み型イーサネットおよび少なくとも１つのシリアル通信インターフェースを有する回路チップを一体化したマイクロコントローラと
を備え、前記少なくとも１つの信号装置、前記シリアル通信ポート、および前記少なくとも１つのイーサネットポートは前記マイクロコントローラに接続され、前記マイクロコントローラは、ＴＣＰ／ＩＰによって前記シリアル装置と前記ＨＭＩソフトウェアとの間のシリアル通信信号を通信し、前記ＨＭＩソフトウェアと前記オペレータワークステーションの人間のオペレータとの間でメッセージを通信するために前記ＨＭＩソフトウェアを前記少なくとも１つの信号装置とインターフェースするように構成されている、オペレータインターフェース装置。
【請求項２】
前記少なくとも１つの信号装置は、発光ダイオードアレイを有する点灯回路を備える、請求項１記載のオペレータインターフェース装置。
【請求項３】
前記マイクロコントローラは、前記ＨＭＩソフトウェアからの制御信号に応答して前記ダイオードアレイを点滅するための回路を備える、請求項２記載のオペレータインターフェース装置。
【請求項４】
前記少なくとも１つの信号装置は前記筐体の上部に配置されたビーコンを備える、請求項１記載のオペレータインターフェース装置。
【請求項５】
前記少なくとも１つの信号装置は、前記筐体の前面上に配置された複数の信号灯をさらに備える、請求項４記載のオペレータインターフェース装置。
【請求項６】
前記少なくとも１つの信号装置は、前記ＨＭＩソフトウェアからの制御信号に応答して音声信号を発するために構成されたスピーカを備える、請求項１記載のオペレータインターフェース装置。
【請求項７】
前記シリアル通信ポートがＲＳ−２３２コネクタを備え、前記ＲＳ−２３２コネクタと前記マイクロコントローラとの間に接続されたＲＳ−２３２トランシーバをさらに備える、請求項１記載のオペレータインターフェース装置。
【請求項８】
前記オペレータワークステーションの機械制御装置に接続するために構成されたミニコネクタをさらに備え、前記ミニコネクタは前記マイクロコントローラに電気的に接続されている、請求項１記載のオペレータインターフェース装置。
【請求項９】
前記組込み型イーサネットは、ＴＣＰ／ＩＰスタックおよびイーサネットトランシーバを確立するために構成された回路を備える、請求項１記載のオペレータインターフェース装置。
【請求項１０】
前記ＨＭＩソフトウェアを実行する前記サーバコンピュータ上にロードするために構成されたソフトウェアドライバをさらに備え、前記ドライバは前記ＨＭＩソフトウェアを前記マイクロコントローラとインターフェースするために構成されている、請求項１記載のオペレータインターフェース装置。
【請求項１１】
前記少なくとも１つの信号装置は、前記筐体上に配置された押しボタンと、前記人間のオペレータから前記ＨＭＩソフトウェアに信号を伝えるために構成された、前記押しボタンと前記マイクロコントローラとの間に配置された押しボタン回路とを備える、請求項１記載のオペレータインターフェース装置。
【請求項１２】
ヒューマンマシンインターフェース（ＨＭＩ）システム用のオペレータインターフェース装置であって、
オペレータワークステーションに取り付けるために構成された筐体と、
前記筐体の上部に配置されたビーコンと、
前記筐体の前面上に配置された複数の信号灯と、
前記筐体上に配置されたスピーカと、
前記オペレータワークステーションのシリアル装置に接続するために構成された、前記筐体上に配置されたＲＳ−２３２コネクタと、
ネットワークに接続するために構成された、前記筐体上に配置された少なくとも１つのイーサネットポートであって、前記ネットワークはそれに接続されたＨＭＩソフトウェアを実行するサーバを有する、少なくとも１つのイーサネットポートと、
前記筐体上に配置されたミニコネクタと、
その上に配置された組込み型イーサネットおよび少なくとも１つのシリアル通信インターフェースを有する回路チップを一体化したマイクロコントローラであって、前記少なくとも１つのイーサネットポートが接続され、ＴＣＰ／ＩＰによって前記シリアル装置と前記ＨＭＩソフトウェアとの間のシリアル通信信号を通信するように構成されている、マイクロコントローラと、
前記ＲＳ−２３２コネクタと前記マイクロコントローラとの間に配置され、ＲＳ−２３２トランシーバを有するＲＳ−２３２インターフェース回路と、
前記ＨＭＩソフトウェアと前記オペレータワークステーションの人間のオペレータとの間でメッセージを通信するために前記マイクロコントローラと前記ビーコン、前記複数の信号灯、および前記スピーカとの間で電気的に接続された点灯およびスピーカ回路と
を備える、オペレータインターフェース装置。
【請求項１３】
オペレータワークステーションをヒューマンマシンインターフェース（ＨＭＩ）ソフトウェアとインターフェースするための方法であって、
前記オペレータワークステーションにオペレータインターフェース装置を配置するステップであって、前記装置は、音声信号装置、視覚信号装置、押しボタンスイッチ、シリアル通信ポート、ならびに組込み型イーサネットおよびシリアル通信インターフェースを有するマイクロコントローラを有し、前記マイクロコントローラは、イーサネットによって前記シリアル通信ポートで受信されたシリアル通信信号を前記ＨＭＩソフトウェアに送信するように構成されている、オペレータインターフェース装置を配置するステップと、
前記シリアル通信ポートにシリアル装置を接続するステップと、
ＴＣＰ／ＩＰによって通信するネットワークに前記装置を接続するステップであって、前記ＨＭＩソフトウェアは前記ネットワークに接続されたサーバコンピュータ上で実行する、前記装置を接続するステップと、
シリアル通信信号を生成するための前記シリアル装置を操作するステップであって、前記シリアル通信信号は前記ネットワークを介して前記ＨＭＩソフトウェアに自動的に伝えられ、前記ＨＭＩソフトウェアは、前記視覚信号装置上および適宜、前記音声信号装置上のそれに応答して制御信号を生成するために前記マイクロコントローラと自動的に通信する、前記シリアル装置を操作するステップと、
前記制御信号に応答して前記オペレータワークステーションでの製造工程にある製品に作業を行うステップと、
前記製造工程にある製品への前記作業の完了を前記ＨＭＩソフトウェアに知らせるために前記押しボタンを操作するステップと
を備える、オペレータワークステーションをインターフェースするための方法。
【請求項１４】
シリアル装置を接続する前記ステップは、バーコードスキャナを前記オペレータインターフェース装置に接続することをさらに備え、前記シリアル装置を操作する前記ステップは前記バーコードスキャナを用いてバーコードをスキャンすることを備える、請求項１３記載のオペレータワークステーションをインターフェースするための方法。
【請求項１５】
前記ネットワークを介してＴＣＰ／ＩＰを用いて伝送するための少なくとも１つのパケットに前記シリアル通信の日付を形成するステップをさらに備え、前記形成するステップは前記シリアル通信信号を受信すると前記マイクロコントローラによって自動的に実行される、請求項１３記載のオペレータワークステーションをインターフェースするための方法。